(57)【要約】【課題】複雑な構造を取らずに被掃除面に吸込口を密着させて集塵性能を向上させた電気掃除機用吸込具を提供する。【解決手段】吸込口４を有し吸込具本体１の底面を形成する下部材３と、下部材３の上部を覆うように保持された上部材２と、上部材２に上下回動自在に設けられたアーム５と、アーム５の左右両端に後方に延設する保持部７と、保持部７に回転自在に設けたローラー８と、を備え、アーム５と共にローラー８が上下動することにより、ローラー８下面を下部材３の底面と同一面まで移動させることができるため、吸込口４を被掃除面に密着できる構成となり、低コストで高い集塵性能を得ることができる。【選択図】図１
2016131729.tif 000002
【特許請求の範囲】
【請求項１】
吸込具本体の上部外郭を形成する上部材と、
被掃除面側に吸込口が形成され前記上部材の下部に装着される下部材と、
前記上部材の後方に上下方向へ回動自在に設けたアームと、
前記アームと前記上部材を接続する回動軸と、
前記アームの後端に左右方向へ回動自在に設けた接続管と、
前記アームから後方に延設し、前記接続管の下方に位置するように設けた左右一対の保持部と、
前記保持部に回転自在に保持されたローラーと、を備え、
前記吸込具本体を前方に押すと前記アームが下にさがり、前記ローラーが被掃除面と接触し、前記吸込具本体を後方に引くと前記アームが上にあがり、前記ローラーが被掃除面と離れるように構成した電気掃除機用吸込具。
【請求項２】
上部材の後方下面でかつ回動軸より後方にローラー近傍まで延設して設けられ、下部材の下面と平行になるように設定された支持体を備えた、請求項１に記載の電気掃除用吸込具。
【請求項３】
支持体の下面を円弧状にした請求項１または２に記載の電気掃除機用吸込具。
【請求項４】
下部材は、吸込口の周囲辺を被掃除面側に突出させた突出周囲辺と、突出周辺から下部材の外周辺に向かう傾斜面と、下部材の左右両端面に突出周辺と同一高さのリブ状の突起物とを有し、前記突起物が吸込口の左右端面から後方に延びた形状とした請求項１〜３のいずれか１項に記載の電気掃除機用吸込具。
【請求項５】
吸引風を発する電動送風機を内蔵した掃除機本体を備え、前記電動送風機と請求項１〜４のいずれか１項に記載の電気掃除機用吸込具が連通して成る電気掃除機。
【発明の詳細な説明】
【技術分野】
【０００１】
本発明は電気掃除機用吸込具に関するものである。
【背景技術】
【０００２】
従来、この種の電気掃除機用吸込具は吸込具の前部と中間接続部を回動軸で接続し、下面に開口する吸収口により吸込具前部の底面を形成する。中間接続部の後端には上下に回動する軸があり、アームを中間接続部に軸を介して接続している。またアームの後端には接続パイプが左右回動自在に設けられている。また、軸近傍には吸込口を床上に置いたときに平行に保てる用にローラーを設けて中間接続部を支えている（例えば、特許文献１参照）。
【０００３】
また、下面開口の吸込口を有した吸込具と、吸込具後方に回転自在の一対のローラーと、ローラーと同軸上に接続され、上下回動自在に設けたアームが構成されている。また、アーム後端には接続パイプを左右回動自在に設けられているものもある。
【０００４】
図３は、特許文献１に記載された従来の電気掃除機用吸込具を示すものである。図３に示すように、吸込具本体１６の前部を形成する吸込具前部１７と、吸込具前部１７の後方に接続される中間接続部１８と、中間接続部１８に対して前後に揺動可能なように軸支した回動軸１９と、中間部材１８の後方に上下回動自在に設けられたアーム２１と、アーム２１の両側面に位置し、中間部材１８に回転自在に設けられたローラー２４と、ローラー２４とアーム２１を同一軸上に軸支する軸２３から構成されている。
【０００５】
また、図４に示す別の従来例において吸込具本体２５の外郭を成す上部材２７と、上部材の後方で上下回動自在に設けられたアーム３０と、アーム３０の左右に位置し、アーム３０と同一軸上で上部材２７に回転自在に設けられたローラー２９と、アーム３０とローラー２９を同一軸上に軸支する軸２８から構成されている。
【先行技術文献】
【特許文献】
【０００６】
【特許文献１】中国特許出願公開第１０１０９９６４８号明細書
【発明の概要】
【発明が解決しようとする課題】
【０００７】
しかしながら、前記従来の構成では、吸込具本体の性能を良くするためには吸込口を被掃除面に密着させる必要があり、本従来例では吸込口を被掃除面に平行になるように密着させるため接続パイプからの上下、前後動作を中間接続部に設けたアームに伝達させることで中間接続部より先に設けた吸込具前部の動作を単純化し、吸込具前部の吸込口を水平に持たせる動作を回動軸の前後動作だけ持たせる構成としたので、吸込口を保持するために吸込具前部、中間部材という複数の部材を接続する必要性があったため製造コスト的に高いという課題を有していた。
【０００８】
また、原価を低減するために吸込口を吸込具下面に配置させて、吸込具後方にローラーと共にアームを保持させる構成においては吸込口の底面よりローラーを突出させないとローラーを有する意味を成さないため、被掃除面に吸込具を置いたときに吸込口が前傾し、被掃除面と密着できないために性能が悪くなる課題を有していた。
【０００９】
本発明は、前記従来の課題を解決するもので、安価な吸込具の構成を継承しながら被掃
除面に吸込口を密着できる構成によって集塵性能を向上させた電気掃除機用吸込具を提供することを目的とする。
【課題を解決するための手段】
【００１０】
前記従来の課題を解決するために、本発明の電気掃除機用吸込具は、吸込具本体の上部外郭を形成する上部材と、被掃除面側に吸込口が形成され前記上部材の下部に装着される下部材と、前記上部材の後方に上下方向へ回動自在に設けたアームと、前記アームと前記上部材を接続する回動軸と、前記アームの後端に左右方向へ回動自在に設けた接続管と、前記アームから後方に延設し、前記接続管の下方に位置するように設けた左右一対の保持部と、前記保持部に回転自在に保持されたローラーと、を備え、前記吸込具本体を前方に押すと前記アームが下にさがり、前記ローラーが被掃除面と接触し、前記吸込具本体を後方に引くと前記アームが上にあがり、前記ローラーが被掃除面と離れるように構成したもので、アームが上下動することでローラーも上下動する構造となり、ローラー下面を下部材の底面と同一面まで移動させることができるため、吸込口を被掃除面に密着できる構成としたものである。
【００１１】
これによって吸込具本体の構成がアーム部を回動させる一箇所のヒンジのみで構成しつつ、集塵性能を向上できる形態にできるので、安価な構成を継承しながら集塵性能を向上できる構成となる。
【発明の効果】
【００１２】
本発明の電気掃除機用吸込具は、安価な吸込具の構成を継承しながら被掃除面に吸込口を密着できる構成のため、低コストで高い吸い込み性能を得ることができる。
【図面の簡単な説明】
【００１３】
【図１】本発明の実施の形態における電気掃除機用吸込具の側面図
【図２】同吸込具の下面図
【図３】従来の電気掃除機用吸込具の側面図
【図４】従来の別の形態における電気掃除機用吸込具の側面図
【発明を実施するための形態】
【００１４】
第１の発明は、吸込具本体の上部外郭を形成する上部材と、被掃除面側に吸込口が形成され前記上部材の下部に装着される下部材と、前記上部材の後方に上下方向へ回動自在に設けたアームと、前記アームと前記上部材を接続する回動軸と、前記アームの後端に左右方向へ回動自在に設けた接続管と、前記アームから後方に延設し、前記接続管の下方に位置するように設けた左右一対の保持部と、前記保持部に回転自在に保持されたローラーと、を備え、前記吸込具本体を前方に押すと前記アームが下にさがり、前記ローラーが被掃除面と接触し、前記吸込具本体を後方に引くと前記アームが上にあがり、前記ローラーが被掃除面と離れるように構成したので、アームが上下動することでローラーも上下動する構造となり、ローラー下面を下部材の底面と同一面まで移動させることができるため、吸込口を被掃除面に密着できる構成とし、吸込具本体の構成がアーム部を回動させる一箇所のヒンジのみで構成しつつ、集塵性能を向上できる形態にできるので、安価な構成を継承しながら集塵性能を向上できる。
【００１５】
第２の発明は、特に、第１の発明の電気掃除機用吸込具において、上部材の後方下面でかつ回動軸より後方にローラー近傍まで延設して設けられ、下部材の下面と平行になるように設定された支持体を備えたことにより、吸込具本体を後退させたときにアームの回動部で吸込具本体の前面部が持ち上がるように動作することを支持体で支えることで持ち上がることを規制して吸込口が被掃除面から離れることを防止し、集塵性能を向上できる形態を維持できる。
【００１６】
第３の発明は、特に、第１または第２の発明の電気掃除機用吸込具に設けた支持体の下面を円弧状にしたもので、被掃除面との接触部が線接触になることで支持体が被掃除面から受ける摩擦抵抗を軽減することで吸込具本体の操作力を軽減できる。
【００１７】
第４の発明は、特に、第１〜３のいずれか１つの発明の電気掃除機用吸込具において、下部材は、吸込口の周囲辺を被掃除面側に突出させた突出周囲辺と、突出周辺から下部材の外周辺に向かう傾斜面と、下部材の左右両端面に突出周辺と同一高さのリブ状の突起物とを有し、前記突起物が吸込口の左右端面から後方に延びた形状としたので、下部材が被掃除面と接触する部位は突出周辺となり、下部材の接触面積が小さくなることで摩擦抵抗を減少させると共に、左右端に設けたリブ状の突起物が被掃除面と接触することで下部材が被掃除面と略平行に保つことができるために、下部材の摩擦抵抗が減じることで操作力を下げると共に下部材が被掃除面に略平行の姿勢を維持できるため吸込力が均等に係り、集塵性能を向上させることができる。
【００１８】
第５の発明は、吸引風を発する電動送風機を内蔵した掃除機本体を備え、前記電動送風機と、第１〜４のいずれか１つの発明の電気掃除機用吸込具が連通して成る電気掃除機としたもので、これにより、被掃除面に吸込口を密着させて集塵性能を向上させた電気掃除機用吸込具を備えた電気掃除機を提供することができる。
【００１９】
以下、本発明の実施の形態について、図面を参照しながら説明する。なお、この実施の形態によって本発明が限定されるものではない。
【００２０】
（実施の形態）
図１は、本発明の実施の形態における電気掃除機用吸込具の側面図を示すものである。
【００２１】
図１、図２において、吸込具本体１は被掃除面を移動しながら、被掃除面上の塵埃を掃除機本体（図示せず）から発生する吸引風により集塵する道具であり、吸込具本体１の下面に向かって開口する吸込口４によって集塵できるものである。
【００２２】
吸込口４は吸込具本体１の底面を形成する下部材３に形成され、下部材３は主に鉄板などを成型して形成される。下部材３は吸込具本体１の外観部を成す上部材２にネジなどで取り付けられ保持されている。
【００２３】
上部材２の略中央後方には上下回動自在に設けられたアーム５が取り付けられており、アーム５の後端には左右回動自在に設けられた接続管６が取り付けられている。
【００２４】
アーム５の左右両端から接続管６の方に向かって延設したリブ状の保持部７には接続管６の下部近傍に設けられ、被掃除面を支えるローラー８が保持部７の左右に各１個ずつ回転自在に設けている。なお、アーム５は上部材２に設けられた回動軸９によって回転自在に軸支されている。
【００２５】
下部材３には、吸込口４を成す周囲辺部が下側に向かって突出されている突出周囲辺１５と、突出周囲辺１５から下部材３の外周縁を結んで作られる前後に傾斜する傾斜面１２と、下部材３の左右両端に突出周囲辺１５と同一高さに設けられ、吸込口４の後方に向かって延びるリブ状に形成された突起物１３と、が形成されている。
【００２６】
上部材２の底面は下部材３によって覆われているが、下部材３の前後には隙間が設けられており、その隙間にブラシ体１４が設置されている。前後のブラシ体１４は上部材２と下部材３の間に介在し、一体に設けられている。
【００２７】
また、上部材２の上面には足で踏み込むことができるペダル１１が設けられており、ペダル１１を踏み込むことでブラシ体１４が上下に出没自在に構成されている。
【００２８】
上部材２の後方下面には、回動軸９より後方に延設し、突出周囲辺１５と同一の高さになるように設けられた凸形状を有する支持体１０が設けられ、支持体１０の底面は被掃除面と線接触するようにＲ面で形成されている。
【００２９】
以上のように構成された電気掃除用吸込具について、以下その動作、作用を説明する。
【００３０】
まず、吸込具本体１を被掃除面に設置したときには下部材３上の突出周囲辺１５と支持体１０が接地する。なおローラー８はアーム５と共に上下動することになる。
【００３１】
吸込具本体１を掃除作業する際に前後に動かす。そのときにアーム５の動き方として、吸込具本体１を前方に押すと下にさがり、後方に引くと上にあがる運動になる。そのためローラー８は前方に押されると被掃除面に接地し、後方に引かれると被掃除面と離れる方向に動く。
【００３２】
この形態の一般的な吸込具は、硬質な床上ではレバー１１を踏み込んでブラシ体１４を突出させ、ブラシ体１４で吸込具本体１を支える。じゅうたんなど毛深い床ではレバー１１を元に戻し、ブラシ体１４を内部に収納した状態で使用する。
【００３３】
硬質な床上の塵埃は被掃除面上に置かれている状態のものであり、吸引風があれば塵埃を集めて吸引することができる。また、硬質な床は摩擦抵抗も小さいため吸込具本体１を前後に操作するときの力も小さく容易に掃除作業を行える。
【００３４】
ただし、床と下部材３下面の距離がほとんど無い場合、吸引の圧力がすべて床を引き込む方向に働き、吸込具本体１が床に張り付いてしまい動かせなくなるため、ブラシ体１４により被掃除面との間に一定の隙間を設ける必要性がある。
【００３５】
また、傾斜面１２により、被掃除面と下部材３の左右に大きな隙間が発生し、突出周囲辺１５により被掃除面と隙間を持たせているが左右両端においては隙間が大きく発生するため真空圧を保つことができなかった。そこで突起物１３を左右に設けることで傾斜面１２を覆い、左右隙を小さくすることで左右の真空圧を高めて硬質床における集塵性能を向上できるものである。
【００３６】
しかし、じゅうたんなど毛深い被掃除面においては、硬質な床に隙間が無い上体で吸込具本体１を設置したような状態になり、被掃除面に張り付いた状況になり操作がとても困難になる。
【００３７】
じゅうたんなどの塵埃は、じゅうたんを構成する毛の奥に存在する粒子状塵埃や毛に絡みついた繊維状塵埃がある。とくに毛の奥の粒子状塵埃を取るためには吸込具本体１を密着させる必要があり、密着状態であっても操作力を低減する必要性があった。ただし、完全に密着させると真空状態になり、毛の奥から粒子状塵埃を引き上げる力を失うので、適正な流入風を作り粒子状塵埃を運ぶ必要性がある。
【００３８】
じゅうたんなどで前に押し出す操作をすると、吸込口４の前方の突出周囲辺１５があたり、その前面の傾斜をなす傾斜面１２がじゅうたんを捉える。そのため吸込具本体１がやや前傾姿勢をとろうとする。接続管６により操作者が押し込む操作が伝達されアーム５が前に押し出される毎に下に下がる。
【００３９】
押し込む力は接続管６を通じて接続管６の水平方向に伝達されるので荷重は回動軸９近傍にかかる。本来なら回動軸９近傍で荷重がかかるため傾斜面１２の前面が持ち上がる方向に作用するがローラー８がアームに追従して下がっており、被掃除面をローラー８が捉え操作荷重の下方向の力をローラー８で受けるため、回動軸９近傍で被掃除面に向かう力が小さくなり吸込具本体１が後傾するのを防止する。
【００４０】
前傾に加わる力と後傾に加わる力が傾斜面１２に伝達されて、下部材３は、被掃除面上で略水平に保たれ、かつローラー８に下に向かう操作荷重を逃がされる。その結果、下部材３は、被掃除面に密着しないため、突出周囲辺１５と被掃除面上に吸引風が発生することで粒子状塵埃を吸い取ることができる。
【００４１】
以上のように、本実施の形態においてはアーム５と共に上下動するローラー８を構成したことにより、安価な吸込具の構成を継承しながら被掃除面に吸込口を密着できる構成にすることができ、塵埃の集塵性能の向上が図れる。また、従来の吸込具本体を一部改造するだけで対応できるため、集塵性能を向上するのに対応し易くすることができる。
【産業上の利用可能性】
【００４２】
以上のように、本発明にかかる電気掃除機用吸込具は、安価な吸込具の構成を継承しながら被掃除面に吸込口を密着させて集塵性能の向上が図れるため、家庭用、業務用を問わず電気掃除機が有する吸込具に適用できるものである。
【符号の説明】
【００４３】
１  吸込具本体
２  上部材
３  下部材
４  吸込口
５  アーム
６  接続管
７  保持部
８  ローラー
９  回動軸
１０  支持体
１２  傾斜面
１３  突起物
１５  突出周囲辺
【図１】
2016131729.tif 000003
【図２】
2016131729.tif 000004
【図３】
2016131729.tif 000005
【図４】
2016131729.tif 000006